(57)【特許請求の範囲】
【請求項１】
点灯回路と蛍光管を備え、前記点灯回路と前記蛍光管を単一のグローブの内部に配置して構成される電球形蛍光ランプにおいて、
前記点灯回路を構成する電子部品を固定する回路基板を備え、
前記回路基板は、前記グローブの内部に配置されて、前記グローブの内部の空間を、口金に近い第１の区画と、前記口金から遠い第２の区画に区画し、
前記蛍光管は、前記回路基板を貫通して、前記第１あるいは第２の区画の一方から他方に延びるように配置されている
ことを特徴とする電球形蛍光ランプ。
【請求項２】
前記蛍光管は、複数箇所で前記口金に接近又は離隔する方向に屈曲するとともに、複数箇所で、前記回路基板を貫通して、前記第１あるいは第２の区画の一方から他方に延びるように配置されている
ことを特徴とする請求項１に記載の電球形蛍光ランプ。
【請求項３】
前記蛍光管の、前記回路基板から最も離隔した部位に、水銀を吸着するアマルガムを備える
ことを特徴とする請求項２に記載の電球形蛍光ランプ。
【請求項４】
前記蛍光管は、螺旋状に屈曲している
ことを特徴とする請求項１に記載の電球形蛍光ランプ。
【請求項５】
前記蛍光管の前記第２の区画にある部位の長さは、前記第１の区画にある部位の長さより長い
ことを特徴とする請求項１ないし請求項４のいずれか一項に記載の電球形蛍光ランプ。
【請求項６】
前記回路基板は、光透過性を備える
ことを特徴とする請求項１ないし請求項５のいずれか一項に記載の電球形蛍光ランプ。
【発明の詳細な説明】
【技術分野】
【０００１】
本発明は、電球形蛍光ランプに関する。
【背景技術】
【０００２】
電球形の筐体の中に、蛍光管と点灯回路を収容してなる電球形蛍光ランプが知られている（例えば、特許文献１）。この電球形蛍光ランプは白熱電球用のソケットに装着可能な口金を備えているので、白熱電球を使用する照明器具に取り付けて、消費電力の低減を図ることができる。
【特許文献１】特開２００４−１０３３１５号公報
【発明の開示】
【発明が解決しようとする課題】
【０００３】
しかしながら、図４に示すように、従来の電球形蛍光ランプ１は、口金２とグローブ３の間に、点灯回路を収容するケース４を備えているので、同一の光度を有する白熱電球５に比べて、寸法特に長手方向の寸法が大きくなるという問題があった。また、そのため、白熱電球５を使用する照明器具に電球形蛍光ランプ１を取り付けられない場合もあった。
【０００４】
本発明は、このような背景に鑑みてなされたものであり、コンパクトな電球形蛍光ランプを提供することを目的とする。
【課題を解決するための手段】
【０００５】
本発明に係る電球形蛍光ランプは、点灯回路と蛍光管を備え、前記点灯回路と前記蛍光管を単一のグローブの内部に配置して構成される電球形蛍光ランプにおいて、前記点灯回路を構成する電子部品を固定する回路基板を備え、前記回路基板は、前記グローブの内部に配置されて、前記グローブの内部の空間を、口金に近い第１の区画と、前記口金から遠い第２の区画に区画し、前記蛍光管は、前記回路基板を貫通して、前記第１あるいは第２の区画の一方から他方に延びるように配置されているものである。
【発明の効果】
【０００６】
本発明によれば、蛍光管を収容するグローブの内部に点灯回路を配置するので、口金とグローブの間に設けて点灯回路を収容するケースが不要になる。そのため、電球形蛍光ランプをコンパクトに構成することができる。また、電球形蛍光ランプを白熱電球と同形同大に纏めて、白熱電球との互換性を確保することが容易になる。
【発明を実施するための最良の形態】
【０００７】
以下、本発明を実施するための最良の形態について説明する。
【０００８】
図１は、本発明に係る電球形蛍光ランプの構成図であり、図２は、前記電球形蛍光ランプの蛍光管の構成図である。図１に示すように、電球形蛍光ランプ１は、口金２とグローブ３を備え、グローブ３の中に蛍光管６と回路基板７を収容している。
【０００９】
口金２は、家庭用の白熱灯照明器具のねじ込み式ソケット（例えばＥ２６）に装着可能なねじ込み式の口金である。また、グローブ３は、電球形蛍光ランプ１の外郭を形成する筐体であって、電球形蛍光ランプ１に相当する（同じ光出力を備える）白熱灯と同形同大のガラス球である。
【００１０】
図２に示すように、蛍光管６は、少量のアルゴンガスと水銀を封入したガラス管８の両端に放電用の電極９を取付けて放電路を形成するとともに、ガラス管８の内部（放電路）に、補助アマルガム１０を配置している。補助アマルガム１０はステンレスメッシュからなる基体にインジウムをメッキして構成され、放電中の高温によって過剰になった水銀蒸気を吸収するので、蛍光管６の内面への水銀の付着を抑制して、水銀の付着に起因する明るさの低下を押さえることができる。
【００１１】
なお、水銀は蛍光管６内の温度の低い部位に付着するので、補助アマルガム１０を蛍光管６内の低温部、例えば蛍光管６の最上部Ａあるいは最下部Ｂに配置すると効果的である。
【００１２】
また、光出力を大きくするために、蛍光管６を長くする必要があるが、グローブ３の内部にそのまま収容できる蛍光管６の長さには限りがある。そこで、本実施形態では、蛍光管６を、Ｕ字形の屈曲を繰り返す形にしたが、蛍光管６の形状はこれに限られない。例えば、蛍光管６を螺旋状にしてもよい。
【００１３】
回路基板７は、絶縁性を有する透明な円板であって、口金２に固定されてグローブ３の内部に延びる支柱１１に取り付けられて、グローブ３の中央、すなわちグローブ３の直径が最大になる位置に保持される。また、回路基板７の外径は、グローブ３の内径と略同一なので、図１に示すように、グローブ３は回路基板７を境にして、上部１２と下部１３に区画される。
【００１４】
また、図３に示すように、回路基板７の下面には、各種の電子部品１４が固定され、電子部品１４は回路基板７に着膜された配線パターン（不図示）を介して互いに接続されて、点灯回路１５を形成している。なお、点灯回路１５は、口金２を経由して電源（一般に商用の交流電源）から供給される交流電流を直流に変換して、更に、高周波に変換して蛍光管６に供給して、蛍光管６内で放電を発生させる回路である。また、点灯回路１５へ給電は、支柱１１に内蔵された導線（不図示）を介して行われる。
【００１５】
また、回路基板７には蛍光管６が貫通する穴（不図示）が開口し、蛍光管６はこの穴を通って、グローブ３の下部１３から、上部１２に入り、複数回屈曲して、再び下部１３に戻るように配置されている。このように構成されているので、グローブ３の上部１２に収容されている蛍光管６の部分の長さは、下部１３に収容されている部分より長い。
【００１６】
このように、本実施形態に係る電球形蛍光ランプ１は、グローブ３の内部、ほぼ中央に回路基板７を配置して、その回路基板７上に点灯回路１５を形成しているので、従来の電球形蛍光ランプ１にあったケース４（図４参照）が不要になる。そのため、本実施形態に電球形蛍光ランプ１は白熱電球５（図４参照）と同形同大に構成することができる。
【００１７】
また、回路基板７を透明にしているので、蛍光管６から出た光が回路基板７を透過する。そのため、グローブ３全体をむらなく発光させることができる。
【００１８】
また、蛍光管６の内部に補助アマルガム１０を配置しているので、過剰な水銀蒸気を吸着することができる。そのため、蛍光管６の内面への水銀の付着が抑制されるので、使用による明るさの低下を押さえることができる。
【図面の簡単な説明】
【００１９】
【図１】本発明に係る電球形蛍光ランプの構成図である。
【図２】前記電球形蛍光ランプの蛍光管の構成図である。
【図３】前記電球形蛍光ランプの回路基板の平面図であり、（Ａ)は回路基板の上面を、（Ｂ）は回路基板の下面を示す。
【図４】従来技術に係る電球形蛍光ランプと白熱電球の外形図である。
【符号の説明】
【００２０】
１  電球形蛍光ランプ
２  口金
３  グローブ
４  ケース
５  白熱電球
６  蛍光管
７  回路基板
８  ガラス管
９  電極
１０  補助アマルガム
１１  支柱
１２  上部
１３  下部
１４  電子部品
１５  点灯回路
【図１】
0005258026.tif 000002
【図２】
0005258026.tif 000003
【図３】
0005258026.tif 000004
【図４】
0005258026.tif 000005